(57)【要約】      （修正有）【課題】幼児を乗せてベビーカーを進行する時に、幼児に見せたい物がある方向へ、シートの向きを変えられる様、シートを３６０度回転させられるベビーカーを提供する。【解決手段】回転体１の上部に骨組み３と板６を乗せ、その上にシート５を固定する。シート５を３６０度回転させる機構は、ロックピン１３を内蔵する回転制御棒１４と、ロックピン１３を受け入れる筒１５を合体固定状態１６にし、回転角度調節筒１７を、ロックピン１３を受け入れる筒１５内へ挿入して、更に回転体１の内側へ挿入後に回転角度調節筒１７と回転体１を固定する。【選択図】図３
2016196281.tif 000002
【特許請求の範囲】
【請求項１】
イ）  回転体（１）の上部に設けたパイプ（２）の内側へ、骨組み（３）を挿入して蝶ナット（４）で固定する。
ロ）  その上に板（６）を乗せて、板（６）と骨組み（３）の穴（７）を、ボルト・ナット（８）で縫って固定する。
ハ）  その上にシート（５）を乗せて、シート（５）の座面（９）の裏側にシート（５）と一体になっている固定用の穴開き板と、雌ネジ付き取付け板（１０）を、ボルト（１１）とスプリングワッシャー（１２）で締め付けてシート（５）を固定する。
ニ）  回転体（１）の上部に設置した、シート（５）を３６０度回転させるための機構は、ロックピン（１３）を内蔵する回転制御棒（１４）と、ロックピンを受け入れる筒（１５）を合体固定状態（１６）にする。
ホ）  回転角度調節筒（１７）を、ロックピンを受け入れる筒（１５）内へ挿入して、更に回転体（１）の内側へ挿入後に回転角度調節筒（１７）と回転体（１）を固定する。
ヘ）  以上でシート（５）と３６０度回転させる機構が組み合わされた。
ト）  回転体（１）に４か所ある接続棒（１８）をベビーカーの架台（３３）へ固定すると、本発明のシートを３６０度回転させられるベビーカーの全体図［図１］になる。
チ）  本発明の、シートを３６０度回転させられるベビーカーを、最もコンパクトにして運搬若しくは倉庫等へ収納し易くすると［図２］になる。
（Ａ）  骨組み（３）を固定している蝶ナット（４）を弛めてパイプ（２）から引き抜くと、ベビーカー本体からシート（５）を取り外せる。
（Ｂ）  脚収納機構（３８）を操作すれば、脚（５５）を（５５の２）状態に収納できる。
（Ｃ）  ハンドル収納機構（５６）を操作すれば、ハンドル（５４）を（５４の２）状態に収納できる。
以上の構成よりなるシートを３６０度回転させられるベビーカー
【発明の詳細な説明】
【技術分野】
【０００１】この発明は回転体の上部にシートを設けたシートを３６０度回転させられるベビーカーに関するものである。
【背景技術】
【０００２】従来、シートは回転させる事が出来なかった。
【発明の開示】
【発明が解決しようとする課題】
【０００３】これは、次のような欠点があった。
従来、シートの座面は進行方向と同じ向きに取り付けられていたので歩道を進行しながらお母さんが、車道を走って来る車を指さして赤い車が来たね。と幼児に話しかけると、幼児は車道方向へ身体と首をひねらないと、車を見ることが出来なかった。本発明は以上の様な欠点を無くする為になされたものである。
【課題を解決するための手段】
【０００４】イ）  ［図３参照］回転体（１）の上部に設けたパイプ（２）の内側へ、骨組み（３）を挿入して蝶ナット（４）で固定する。
ロ）  その上に板（６）を乗せて、板（６）と骨組み（３）の穴（７）を、ボルト・ナット（８）で縫って固定する。
［ア］の上に［イ］を乗せてその上に［ウ］を乗せたのが［エ］である。
ハ）  板（６）の上にシート（５）を乗せて、シート（５）の座面（９）の裏側にシート（５）と一体になっている固定用の穴開き板と、雌ネジ付き取付け板（１０）を、ボルト（１１）とスプリングワッシャー（１２）で締め付けてシート（５）を固定する。
［エ］の上にシート（５）を乗せたのが［オ］である。
ニ）  回転体（１）の上部に設置した、シート（５）を３６０度回転させるための機構は、［図４参照］ロックピン（１３）を内蔵する回転制御棒（１４）と、ロックピンを受け入れる筒（１５）を合体固定状態（１６）にする。
［カ］と［キ］を合体したのが［ク］である。
ホ）  回転角度調節筒（１７）を、ロックピンを受け入れる筒（１５）内へ挿入して、更に回転体（１）の内側へ挿入後に回転角度調節筒（１７）と回転体（１）を固定する。
［ケ］を［ク］の筒（１５）へ挿入したのが［コ］であり、［コ］を［サ］に挿入したのが［シ］である。
ヘ）  以上でシート（５）と３６０度回転させる機構が組み合わされた。
ト）  ［図１参照］回転体（１）に４か所ある接続棒（１８）をベビーカーの架台（３３）へ固定すると、本発明のシートを３６０度回転させられるベビーカーの全体図になる。
本発明は以上の構成よりなるシートを３６０度回転させられるベビーカーである。
【発明の効果】
【０００５】シートを３６０度回転させられるので、幼児に見せたい任意の方向に、シートを回転させて固定しておけば、幼児が身体と首をひねらなくても、楽な体制でお母さんが指さす物を見ることが出来る。
【発明を実施するための最良の形態】
【０００６】以下、本発明を実施するための最良の形態について説明する。
イ）  ［図３参照］回転体（１）は軸受けと同様にベアリング（１９）を内蔵する構造物であり、内輪（２０）と外輪（２１）から成り立っている。ここでは外輪（２１）は回転を必要としないので、ベビーカーの架台（３３）へ固定して機能を発揮させる。シート（５）は回転をつかさどる内輪（２０）側へ固定して、目的に応じた角度を求める事が出来るようにする。ここで言う回転体（１）と外輪（２１）は同じ部品を指しているが、回転体（１）は回転させる部品全部を指しているものであり、以後便宜上、回転体（１）と言う。
ロ）  回転体（１）の上部に設けたパイプ（２）の内側へ、骨組み（３）を挿入して蝶ナット（４）で固定する。
ハ）  その上に板（６）を乗せて、板（６）と骨組み（３）のそれぞれ８個の重なり合った穴（７）をボルト・ナット（８）で縫って固定する。
ニ）  その上にシート（５）を乗せる。シート（５）の座面（９）の裏側には、シート（５）に固定されている穴開きの板があり、その場所と穴の位置はシート（５）を板（６）の上に乗せると、板（６）に設けている四方４か所ある雌ネジ付き取付け板（１０）と、合致する様に設置されているので、ボルト（１１）とスプリングワッシャー（１２）で締め付けてシート（５）を固定する。
ホ）  回転体（１）の上部に設置されたシート（５）を、３６０度回転させるためには
（Ａ）  ［図４参照］ロックピン（１３）を内蔵する回転制御棒（１４）と、ロックピンを受け入れる筒（１５）を合体固定（１６）状態にする。
（Ｂ）  回転角度調節筒（１７）を、ロックピンを受け入れる筒（１５）の内側へ挿入して、更に  回転体（１）の内側へ挿入後、回転角度調節筒（１７）の外周と回転体（１）のパイプ取り付け器具（６３）を固定する。
ヘ）  以上でシート（５）と３６０度回転させる機構が組み合わされた。
ト）  ［図１参照］回転体（１）に４か所ある接続棒（１８）をベビーカーの架台（３３）へ固定すると、本発明であるシートを３６０度回転させられるベビーカーの全体図となる。
チ）  シート（５）を３６０度内で任意の角度に回転させる方法を説明する。
（Ａ）  回転制御棒（１４）の外周の一部がベビーカーの架台（３３）と固定されているので［図４参照］ロックピン（１３）の摘み（６４）を、ロックピンを受け入れる筒（１５）とは反対の方向へ、つまんで引っ張るとロックピン（１３）が回転角度調節筒（１７）の穴（２１）及びロックピンを受け入れる筒（１５）の穴（２２）から外れる。従ってロックピンを受け入れる筒（１５）の内径より回転角度調節筒（１７）の外径の方が小さいので、ロックピン（１３）が外れると回転角度調節筒（１７）は、フリー状態となり右回転でも左回転でも自由に回転可能となる。尚ロックピン一時固定器具（２３）の作動棒（２４）は２個のコイルバネで反発力を得る様にするために、右側（２５）と左側（２６）のバネのそれぞれ片端は右の柱（２７）と左の柱（２８）に引っ掛けている。更に他方の端は作動棒（２４）に引っ掛けていて作動棒（２４）の操作側（２９）を押し下げると、当然のことながら、片方のじゃま板（３４）が上昇する。このとき左右の２個のバネが縮まってじゃま板（３４）側は下方向へ、操作側（２９）は上方向へ戻ろうとする反発力が生じる。ここではロックピン一時固定器具（２３）は左の柱（２８）側だけが回転制御棒（１４）の外周に固定されていて、右の柱（２７）は何処とも接触及び固定もされていないフリー状態である。
シート（５）を回転操作しない通常時は、ロックピン一時固定器具（２３）のじゃま板（３４）はロックピンの肩（３０）の上にバネの力で押しつけられた状態にある。従ってシート（５）を回転させるために、ロックピン（１３）の摘み（６４）を、ロックピンを受け入れる筒（１５）とは反対の方向へ、つまんで引っ張るとロックピン一時固定器具（２３）のじゃま板（３４）が、ロックピンの肩（３０）から外れてロックピンの谷（３１）部分にバネの力で押し下げられる。すなわちこの状態で摘み（６４）から手を離すと回転制御棒（１４）内のコイルバネ（３２）の収縮力によって、ロックピンの肩（３０）を含むロックピン全体が、ロックピンを受け入れる筒（１５）側に戻ろうとするが、じゃま板（３４）がロックピンの肩（３０）に引っ掛かっているので、ロックピンを受け入れる筒（１５）側に戻れず、ロックピン（１３）はロックピンを受け入れる筒（１５）の外に出っぱなし状態になる。
（Ｂ）  ここでシート（５）を任意の角度に回転させた後に、作動棒（２４）の操作側（２９）を押し下げれば、じゃま板（３４）がロックピンの肩（３０）から外れるので、ロックピン（１３）は再びロックピンを受け入れる筒（１５）の穴（２２）及び回転角度調節筒（１７）の穴（２１）内に挿入するので、シート（５）は回転できない状態に固定される。
リ）  回転制御棒（１４）内の部品の組み立て順序と機能について説明する。
（Ａ）  部品の移動範囲を制限するピン（６５）を回転制御棒（１４）の外周に開けている穴に挿入して固定する。
（Ｂ）  ロックピンにコイルバネ停止板（３６）・コイルバネ（３２）・コイルバネ止め板（３５）の順に、はめ込んでコイルバネ止め板（３５）だけロックピン（１３）に固定したものを、回転制御棒（１４）内に挿入する。
（Ｃ）  部品を回転制御棒（１４）の、外部に脱出させないピン（３７）を回転制御棒（１４）の外周に開けている穴に挿入して、固定すると組立完了。
ヌ）  回転制御棒（１４）の操作と機能について説明する。
（Ａ）  摘み（６４）を、ロックピンを受け入れる筒（１５）とは反対の方向へ、つまんで引っ張るとコイルバネ停止板（３６）は部品を回転制御棒（１４）の、外部に脱出させないピン（３７）に制止されてその位置に留まるが、コイルバネ止め板（３５）は摘み（６４）と同作動するので、コイルバネ（３２）を収縮させる。
（Ｂ）  引っ張っていた摘み（６４）から手を離すと、コイルバネ（３２）の反発力によって、ロックピン（１３）は元の位置に戻る。
ル）  ［図５参照］脚収納機構（３８）の部品の説明をする。
（Ａ）  スライド棒（３９）は先端にピン（４０）と、片方の端にマグネット（４１）とレバー（４２）を付設している。
（Ｂ）  ２本の囲い柱（４３）の上方に、マグネット（４４）と下方に軸（４５）の挿入穴（４６）を設ける。
（Ｃ）  囲い板（４７）はレバー（４２）の作動で接触しない様に、一部をカット（４８）している。
（Ｄ）  囲い板（４９）は回転軸（５０）と回転停止板（５１）が、回転時に接触しない範囲で大き目サイズにして、スライド棒（３９）を囲い込む様にする。
（Ｅ）  回転軸（５０）の円周上にベビーカー使用時に、脚を開いた状態（５５）での頂点と、脚を収納した状態（５５の２）の頂点に、ピン（４０）を挿入する穴（５２）を設け、更に軸（４５）を受け入れる穴（５３）を設けている。
（Ｆ）  スライド棒（３９）と回転軸（５０）を、２本の囲い柱（４３）と囲い板（４７）及び囲い板（４９）で四方を囲って、軸（４５）を（４６）と（５３）の穴に挿入して、組み立てたのが脚収納機構（３８）である。尚、（３８の２）は右側面図である。
ヲ）  脚収納機構（３８）の操作方法と機能について説明する。
（Ａ）  ［この発明はシート（５）を回転させると、対面式にも背面式にも出来るので、従来型式のベビーカーの様にハンドル（５４）を切り替える必要性がないので、ここで言う収納する脚とは、ハンドル（５４）側の脚（５５）を指すものである。］
（Ｂ）  脚（５５）を収納するには脚収納機構（３８）［図５及び図１，図２参照］のレバー（４２）を持ち上げると、これと一体型のスライド棒（３９）とマグネット（４１）が、連動して上がるので２つのマグネット（４１）と（４４）が接触する位置まで、上昇させたらマグネット同士が引っ付き合うので、レバー（４２）から手を離してもスライド棒（３９）が落下する事はない。
いわゆる、この時点でピン（４０）が回転軸（５０）の穴（５２）から抜け出ているので軸（４５）を中心に、回転軸（５０）が回転可能となるので、脚（５５）を収納位置（５５の２）まで移動させると、同時に回転停止板（５１）も囲い柱（４３）に当っているので、それ以上は回転不可能となる。いわゆる、この位置で回転軸（５０）の頂点に、スライド棒（３９）の先端のピン（４０）が落下して来た時に挿入する穴（５２）が、待ち受けた状態となっているのでレバー（４２）を引き下げると、２個のマグネット（４１）と（４４）は離れるので、後はスライド棒（３９）とレバー（４２）とマグネット（４１）の重量により、ピン（４０）は穴（５２）から抜け出る事は無く、脚（５５の２）はこの位置を維持し続ける。
（Ｃ）  脚（５５の２）を（５５）の位置に戻してベビーカーを使用する場合には、上記の（Ｂ）の操作により脚（５５の２）が（５５）の位置に戻った時、レバー（４２）を引き下げてピン（４０）を回転軸（５０）の穴（５２）へ挿入すれば良い。
ワ）  ［図６，図２参照］ハンドル収納機構（５６）の部品の説明をする。
（Ａ）  ハンドル収納機構（５６）はハンドル（５４）をベビーカーの架台の一端（５７）へ安定的に取り付け固定する物であり、ネジ（５８）と雌ネジ（６２）を備えているハンドル挿入器具（５９）と、ハンドル（５４）をベビーカー使用可能状態（５４）及び休眠状態（５４の２）へ切り替えるための、落下防止ビス（６０）付き袋ナット（６１）とセットになっている。更に案内筒（６８）はハンドル収納機構（５６）に掛かる応力を分散させる目的の他に、ハンドルを（５４の２）へ休眠状態にする時や（５４）の状態に戻す時に、スライドさせるガイドの役割を果たす物であり、ハンドル収納機構（５６）と一対で使用する。
（Ｂ）  ハンドル挿入器具（５９）のネジ（５８）へ袋ナット（６１）をねじ込み、更に落下防止ビス（６０）を雌ネジ（６２）へねじ込んで組み立てたのが、ハンドル収納機構（５６）である。
カ）  ハンドル収納機構（５６）の操作方法と機能について説明する。
（Ａ）  ハンドル（５４）をベビーカー使用可能状態にするには、ハンドル挿入器具（５９）のネジ（５８）へ袋ナット（６１）をねじ込み、更に落下防止ビス（６０）を雌ネジ（６２）へねじ込んでハンドル収納機構（５６）状態にすれば良い。いわゆる［図１］のハンドル（５４）が実線で図示された状態にすれば良い。尚、落下防止ビス（６０）は常時、雌ネジ（６２）へねじ込んで固定されているものであり、弛めて取り外すことは無い。
（Ｂ）  ハンドル（５４）をベビーカー休眠状態（５４の２）にするには、袋ナット（６１）をネジ（５８）から弛めて外す。落下防止ビス（６０）はハンドル（５４）の先端に設けている雌ネジ（６２）へねじ込んで固定しているので、袋ナット（６１）は落下防止ビス（６０）側へ移動するだけであり、地面に落下することは無い。
（Ｃ）  ハンドル（５４）は収納可能状態となったので、ハンドル（５４）をハンドル挿入器具（５９）及び案内筒（６８）内をスライドさせて［図２］の点線で図示している（５４の２）迄押し込めば先端に袋ナット（６１）と落下防止ビス（６０）を伴って休眠状態となる。
ヨ）  ［図２］は本発明のシートを３６０度回転させられるベビーカーを、最もコンパクトにした図である。
（Ａ）  骨組み（３）を固定している蝶ナット（４）を弛めて《蝶ナットだから工具不要》パイプ（２）から引き抜いて、シート（５）を取り外した。
（Ｂ）  脚収納機構（３８）を操作して、脚（５５）を収納状態（５５の２）にした。
（Ｃ）  ハンドル収納機構（５６）を操作して、ハンドル（５４）を休眠状態（５４の２）にした。
タ）  これ程までにコンパクトにすれば、狭い軽四輪自動車の車内や物置にも、難なく搭載及び収納する事が可能となる。
本発明は以上の構成よりなるシートを３６０度回転させられるベビーカーである。
【図面の簡単な説明】
【０００７】
【図１】  本発明の斜視図である。
【図２】  本発明の斜視図である。
【図３】  本発明の組み立て順序を示している斜視図である。
【図４】  本発明の組み立て順序を示している斜視図である。
【図５】  本発明の組み立て順序を示している斜視図である。
【図６】  本発明の組み立て順序を示している斜視図である。
【符号の説明】
【０００８】１  回転体    ２  パイプ    ３  骨組み    ４  蝶ナット    ５  シート    ６  板    ７  穴    ８  ボルト・ナット    ９  座面    １０  雌ネジ付き取付け板    １１  ボルト    １２  スプリングワッシャー    １３  ロックピン    １４  回転制御棒    １５  ロックピンを受け入れる筒    １６  合体固定状態    １７  回転角度調節筒    １８  接続棒    １９  ベアリング    ２０  内輪    ２１  外輪    ２２    ロックピンを受け入れる筒の穴    ２３  ロックピン一時固定器具    ２４  作動棒    ２５  右側のコイルバネ    ２６  左側のコイルバネ    ２７  右の柱    ２８  左の柱    ２９  作動棒（２４）の操作側    ３０  ロックピンの肩    ３１  ロックピンの谷    ３２  コイルバネ    ３３  ベビーカーの架台    ３４  じゃま板    ３５  コイルバネの止め板    ３６  コイルバネの停止版    ３７  部品を回転制御棒（１４）の外部に脱出させないピン    ３８  脚収納機構    ３９  スライド棒    ４０  ピン    ４１  マグネット    ４２  レバー    ４３  囲い柱    ４４  マグネット    ４５  軸    ４６  軸を挿入する穴    ４７  囲い板    ４８  囲い板のカット部分    ４９  囲い板    ５０  回転軸    ５１  回転停止板    ５２  ピンを挿入する穴    ５３  軸（４５）を受け入れる穴    ５４  ハンドル    ５４の２  ハンドルを収納したベビーカー休眠状態    ５５  脚    ５５の２  脚を収納した位置    ５６  ハンドル収納機構    ５７  ベビーカーの架台の一端    ５８  ハンドル挿入器具のネジ    ５９  ハンドル挿入器具    ６０  落下防止ビス    ６１  袋ナット    ６２  ハンドルの先端に設けている雌ネジ    ６３  パイプ取り付け器具    ６４  ロックピン（１３）の摘み    ６５  回転制御棒内の部品の移動範囲を制限するピン    ６６  リクライニングのレバー    ６７  安全ベルト    ６８  案内筒
【図１】
2016196281.tif 000003
【図２】
2016196281.tif 000004
【図３】
2016196281.tif 000005
【図４】
2016196281.tif 000006
【図５】
2016196281.tif 000007
【図６】
2016196281.tif 000008